(57)【要約】【課題】  掛け布団のカバーの交換に手間と労力をかけず、掛け布団とカバーのずれを防止するための、簡単なずれ防止付き掛け布団とカバー、及び掛け布団が敷き布団からずれ落ちない為の装置を簡単に出来る事を課題とした。【解決手段】  掛け布団の四隅や周縁部に玉を通したループ状の紐を装着し、掛け布団の紐と同位置に設けたカバーのスリット孔より、玉を通したループ状の紐を突き出し、ループを外側で結ぶようにする。掛け布団がずれ落ちないように、カバーの裾を巻きこみ分だけ延長し、カバーの少なくとも片側縁部にファスナーを引き上げると開くように、上下逆にして装着し、裾の開口部とＬ字状に繋げるように開口部をひろく設け、掛け布団とカバーの交換に手間と労力を短縮し、カバーと掛け布団にずれ防止を設けた掛け布団とカバーである。【選択図】  図６
2011167242.tif 000002
【特許請求の範囲】
【請求項１】
掛け布団の四隅と掛け布団の周縁部にループ状の紐を装着し、掛け布団の紐と同位置に設けたカバーのスリット孔を通して表側に突き出し、外側でループ状の紐を結び、紐の結び目がスリット孔から抜けないようにしたずれ防止付き掛け布団とカバー。
【請求項２】
ループ状の紐を玉の通孔部を通して装着し、カバーの外側でループ状の紐を結ぶ、請求項１記載のずれ防止付き掛け布団とカバー。    
【請求項３】
裾に開口部を持つカバーで覆った掛け布団が、敷き布団からずれないように、カバーの裾を延長し、カバーの少なくとも片側縁部にファスナーを開口部側から引き上げると開くように、上下逆にして装着し、裾の開口部とＬ字状に繋がって開口部をひろくなるように設けた請求項１又は２記載のずれ防止付き掛け布団とカバー。 
【発明の詳細な説明】
【技術分野】
【０００１】
本発明は、掛け布団とカバーのずれを防止する為の、簡単なずれ防止付き布団とカバーと、掛け布団が敷き布団からずれ落ちない為の掛け布団とカバーに関するものである。
【背景技術】
【０００２】
従来、羽毛布団用あったかカバー兼用毛布として特開２００２−２０９６９７が開示されていた。この羽毛の布団用あったかカバー兼用毛布は、カバーの四隅に５センチ位の開口部を設け、その開口部より掛け布団の四隅に装着したループを引き出し、毛布又は毛糸等で作った開口部のホールより大きな紐付きボール状のものを、外側からループに引っ掛けて結ぶ事により、羽毛布団と布団カバーのずれを防止するというものであるが、ボール状の玉に装着した紐を布団の四隅のループにかけて結ぶ為に玉も大きく、ボール状の玉は掛け布団と別個である為、紛失などの弊害もあり、取り付けや取り外しの交換にも手間がかかり不便である。
【０００３】
現在一般的に使用されているものに、布団カバーの内側の四隅及び周縁部に結び紐を装着し、カバーに装着した紐と同位置に、布団に設けたループ状紐に引っ掛けて結ぶものがあるが、カバーの交換に、係止部材がカバーの内側にある為、四隅や周縁部に結んだ紐を解くにも、結ぶにも大変な手間と労力を必要とする問題があった。
【特許文献１】特開２００２−２０９６９７
【発明の開示】
【発明が解決しようとする課題】
【０００４】
ホテルや、宿屋、民宿、病院など、頻繁に布団カバーの取替え、取り外しの交換を必要とする所は、毎回手間と労力が求められ、家庭においても同様で、掛け布団にカバーを掛けやすく取り外しが楽な構造で、掛け布団も敷き布団やマットからのずれ落ちも防止し、その為のコストが安価に出来ることを課題とした。
【課題を解決するための手段】
【０００５】
本発明は、この様な従来の構成が有していた問題を解決しようとするものであり、解決手段として、掛け布団の四隅と掛け布団の周縁部にループ状の紐を装着し、掛け布団の紐と同位置に設けたカバーのスリット孔を通して表側に突き出し、外側でループ状の紐を結び、紐の結び目がスリット孔から抜けないようにする。
【０００６】
ループ状の紐を玉の通孔部を通して装着し、掛け布団の紐と同位置に設けたカバーのスリット孔を通して表側に突き出し、外側でループ状の紐を玉を中心にして結び、紐の結び目がスリット孔から抜けないようにする。
【０００７】
裾に開口部を持つカバーで覆った掛け布団が、敷き布団からずれないように、カバーの裾を延長し、カバーの少なくとも片側縁部にファスナーを開口部側から引き上げると開くように、上下逆にして装着し、裾の開口部とＬ字状に繋がってひらくように開口部をひろく設けている。（片側縁部のファスナーの端部の位置は適宜設定できる）
【発明の効果】
【０００８】
布団の四隅と周縁部に、ループ状の紐を装着し、布団の紐と同位置に設けたカバーのスリット孔を通して、外側でそのループ状の紐をひろげて一結びするだけで良く、別の係止部材を使用する必要も無い。又、カバーの内側で結ぶ労力に比べて、取り替え、取り外しの交換がより簡単になり、労力が半減される。
【０００９】
ループ状の紐は、玉の通孔部を通して、布団に装着している為に、ループ状の紐に通した玉をつまんで、玉の円周より一回り大き目のスリット孔を通して突き出すだけで良い。玉をつまんでスリット孔に持っていくので、持ちやすく、通しやすい。通した後、外側で玉を中心にして、ループの状の紐を輪にして左右に開き一結びするだけで良い。結んだループ状の紐を蝶のように左右に開くと、スリット孔よりはるかに大きくなり、抜けにくい。解く時は玉を引っ張れば結び紐が簡単に解かれるので布団カバーの交換が楽になる。
【００１０】
カバーの裾は、掛け布団のずり落ちを防ぐ為に、敷き布団やマットへの巻き込み分だけ延長しているので、掛け布団がずり落ちない。布団カバーの片側縁部には、ファスナーを開口部側から引き上げると開くように、上下逆にして装着し、そのファスナーを上まで開けると、カバーの裾の開口部と繋がり、Ｌ字状にひらくので、開口部が大きくなり、布団の出し入れがしやすく、布団とカバーの交換が簡単になる。しかも掛け布団に、カバーとのずれ防止の装置を設けている為、掛け布団とカバーが外れない。
【図面の簡単な説明】
【００１１】
【図１】掛け布団の四隅と周縁部に玉を通したループを装着した平面図。
【図２】掛け布団の紐と同位置にスリット孔を設けたカバーの平面図。
【図３】ループに通した玉をつまんで、カバーのスリット孔に通した部分平面図。
【図４】A  ループの玉を中心に左右にひろげた斜視図。                                B  ループを一結びした部分図。
【図５】ループの玉を中心に一結びした部分平面図。
【図６】カバーの片側縁部にファスナーを上下逆にして装着し、裾の開口部とＬ字状に繋げ、開口部をひろく設けたカバーの平面図。
【図７】シーツ式カバーに応用した平面図。
【図８】ループに係止部材を装着した斜視図。                                          A  扇面状挟み具の斜視図。                                                  B  扇面状挟み具で掛け布団を挟んだ部分断面図。                              C  扇面状挟み具の部分斜視図。
【発明を実施するための形態】
【００１２】
掛け布団１の四隅と掛け布団の周縁部に、図１のように、一結びできるループ状の紐２を、玉３の通孔部４を通して装着し、そのループを装着した掛け布団の紐と同位置に、図２のように、カバー５にスリット孔６を設ける。図３のように、ループ状の紐２に通した玉３をつまんで、玉３の円周より一回り大き目の掛け布団カバー５のスリット孔６を通して外に突き出す。
【００１３】
図４のＡのように、ループ状の紐２は玉３を中心にして、輪を左右にひろげ、図４のＢのように一結びする。結び目はループ状の紐２を蝶のようにして左右に開く。図５のように結ぶのは外側でする。カバー５を外す時も、外側で結ばれたループ状の紐２の玉３を引っ張るだけで簡単に解く事ができる。
【００１４】
布団の四隅や周縁部に、ループ状の紐２を玉３の通孔部４を通して装着し、布団のループ状の紐２と同位置に設けたカバーのスリット孔６より突き出して、カバーの外側で玉３を中心にしてループ状の紐２を一結びする。スリット孔６は玉の円周より一回り大き目にして、結び目がスリット孔６より抜けないようにする。解く時は玉３を引っ張れば結び紐が簡単に解かれる。カバーの内側でしてきた事を、外側で行う事により、取替え取り外しの交換が格段に簡単になり、労力を半減することが出来る。
【００１５】
掛け布団１がはずれないように、袋状カバー８の裾を敷き布団に巻き込む分だけ延長し
、カバーの少なくとも片側縁部にファスナー７を開口部９から引き上げるように上下を逆にして装着し、裾の開口部９とＬ字状に繋げて大きくひらくようにする。開口部をひろくするようにファスナーを設けたので掛け布団の出し入れが楽になり、手間と労力が短縮される手段を設けた。
【００１６】
図６のように、袋状掛け布団カバー８の片側縁部に、ファスナー７を開口部９側から引き上げると開くように上下逆にして装着し（片側縁部のファスナーの端部の装着位置は、適宜設定できる）、片側縁部に設けたファスナー７を上まで開けると、カバーの裾の開口部９と繋がり、Ｌ字状にひらくので、開口部９が大きくなり、掛け布団１の出し入れがしやすく、掛け布団１と袋状カバー８の取り替えの交換が簡単に出来る。掛け布団の袋状カバー８の側縁部のファスナー７の装着は、両側縁部に設けても良く、その場合開口部はコの字状に開き、さらに大きくなる。裾は掛け布団のずり落ちを防ぐ為に、敷き布団やマットへの袋状の巻き込み分１０を長めに延長して巻き込み、掛け布団がずり落ちを防ぐ。  
【００１７】
薄掛け布団又は毛布１４等の四隅、及びカバーの両端部４隅に当たる位置や他の周縁部に装着したループ状の紐２に通した玉３をつまんで、図７の衿カバー１１、裾カバー１２付きのシーツ式カバーの折山の両端部、及びカバーの四隅、他の周縁部に、薄掛け布団や毛布等１４のループ状の紐と同位置に設けたスリット孔６又は、ボタンホール孔１８から通して突き出し、外側で一結びする掛け布団のずり落ちを防ぐ為には、裾カバー１２より巻き込み分１３を延長した布を、敷き布団やマットに巻き込むようにする。カバーの両端縁部には、やや幅広のゴム１９を挿入しておくとカバーの収まりが良い。
【００１８】
玉付きループ状の紐２の装着は、掛け布団１に縫い付けるのが望ましく、図８のように、独立して、ループ状の紐２の装着部分に、金属や硬質の樹脂等で係止部材を設け、掛け布団１の四隅に挟んで装着することも可能である。      
【００１９】
上記の係止部材は、扇面状挟み具１５にして布団の四隅に挟むようにする。内側には、樹脂やごむなどで凹凸面１６を設けると滑りにくい。大小の締め輪１７で、扇面状挟み具１５を締め上げ、掛け布団１から外れないようにする。
【００２０】
スリット孔６は、カバー５の接ぎ目の部分を利用してスリット孔６を設ける事が望ましく、縫い代の部分や、一重の布の部分にかかる場合、接着芯などで裏打ちをして、その部分にボタンホール孔１８を設けると、カバー布にかかる負担が少ない。  
【００２１】
カバーの用布は、白に限らず、柄物も良く、冬は温かい素材でアクリルやレ−ヨンの混紡や毛布等、夏は涼しい素材が良く、何れも皺になりにくく、洗濯に耐えうる清潔感のあるものが望ましい。  
【符号の説明】
【００２２】
１    掛け布団
２    ループ状の紐
３    玉
４    通孔部
５    カバー
６    スリット孔
７    ファスナー
８    袋状カバー
９    開口部
１０  袋状裾巻き込み分          
１１  衿カバー
１２  裾カバー
１３  巻き込み分
１４  薄掛け布団又は毛布
１５  扇面状挟み具
１６  凹凸面
１７  締め輪
１８  ボタンホール孔
１９  ゴム
【図１】
2011167242.tif 000003
【図２】
2011167242.tif 000004
【図３】
2011167242.tif 000005
【図４】
2011167242.tif 000006
【図５】
2011167242.tif 000007
【図６】
2011167242.tif 000008
【図７】
2011167242.tif 000009
【図８】
2011167242.tif 000010
【手続補正書】
【提出日】平成22年8月12日(2010.8.12)
【手続補正１】
【補正対象書類名】特許請求の範囲
【補正対象項目名】全文
【補正方法】変更
【補正の内容】
【特許請求の範囲】
【請求項１】
掛け布団等の四隅と周縁部に、玉の通孔部を通したループ状の紐を装着し、その玉付きループ状の紐と同位置に設けたカバーのスリット孔を通して、カバーの外側に玉付きループ状の紐を突き出し、外側で玉を中心にして玉付きループ状の紐を一結びし、紐の結び目がスリット孔から抜けないようにしたずれ防止付き掛け布団とカバー。
【請求項２】
裾に開口部をもつカバーで覆った掛け布団が、敷き布団からずれないように、カバーの裾を巻き込み分だけ延長し、カバーの少なくとも片側縁部にファスナーを開口部側から引き上げると開くように装着し、裾の開口部とＬ字状に繋がって開口部を広くなるように設けた請求項１記載のずれ防止付き掛け布団とカバー。
【手続補正２】
【補正対象書類名】明細書
【補正対象項目名】全文
【補正方法】変更
【補正の内容】
【発明の詳細な説明】
【技術分野】
【０００１】
本発明は、掛け布団とカバーのずれを防止する為の、簡単なずれ防止付き布団とカバーと、掛け布団が敷き布団からずれ落ちない為の掛け布団とカバーに関するものである。
【背景技術】
【０００２】
従来、羽毛布団用あったかカバー兼用毛布として特開２００２−２０９６９７が開示されていた。この羽毛の布団用あったかカバー兼用毛布は、カバーの四隅に５センチ位の開口部を設け、その開口部より掛け布団の四隅に装着したループを引き出し、毛布又は毛糸等で作った開口部のホールより大きな紐付きボール状のものを、外側からループに引っ掛けて結ぶ事により、羽毛布団と布団カバーのずれを防止するというものであるが、ボール状の玉に装着した紐を布団の四隅のループにかけて結ぶ為に玉も大きく、ボール状の玉は掛け布団と別個である為、紛失などの弊害もあり、取り付けや取り外しの交換にも手間がかかり不便である。
【０００３】
現在一般的に使用されているものに、布団カバーの内側の四隅及び周縁部に結び紐を装着し、カバーに装着した紐と同位置に、布団に設けたループ状紐に引っ掛けて結ぶものがあるが、カバーの交換に、係止部材がカバーの内側にある為、四隅や周縁部に結んだ紐を解くにも、結ぶにも大変な手間と労力を必要とする問題があった。
【特許文献１】特開２００２−２０９６９７
【発明の開示】
【発明が解決しようとする課題】
【０００４】
ホテルや、宿屋、民宿、病院など、頻繁に布団カバーの取替え、取り外しの交換を必要とする所は、毎回手間と労力が求められ、家庭においても同様で、掛け布団にカバーを掛けやすく取り外しが楽な構造で、掛け布団も敷き布団やマットからのずれ落ちも防止し、その為のコストが安価に出来ることを課題とした。
【課題を解決するための手段】
【０００５】
本発明は、この様な従来の構成が有していた問題を解決しようとするものであり、解決手段として、掛け布団等の四隅と周縁部に、玉の通孔部を通したループ状の紐を装着し、その玉付きループ状の紐と同位置に設けたカバーのスリット孔を通して、カバーの外側に玉付きループ状の紐を突き出し、外側で玉を中心にして玉付きループ状の紐を一結びし、紐の結び目がスリット孔から抜けないようにしたずれ防止付き掛け布団とカバー。
【０００６】
裾に開口部をもつカバーで覆った掛け布団が、敷き布団からずれないように、カバーの裾を巻き込み分だけ延長し、カバーの少なくとも片側縁部にファスナーを開口部側から引き上げると開くように装着し、裾の開口部とＬ字状に繋がって開口部を広くなるように設けた請求項１記載のずれ防止付き掛け布団とカバー。
【発明の効果】
【０００７】
布団の四隅と周縁部に、ループ状の紐を装着し、布団の紐と同位置に設けたカバーのスリット孔を通して、外側でそのループ状の紐をひろげて一結びするだけで良く、別の係止部材を使用する必要も無い。又、カバーの内側で結ぶ労力に比べて、取り替え、取り外しの交換がより簡単になり、労力が半減される。
【０００８】
ループ状の紐は、玉の通孔部を通して、布団に装着している為に、ループ状の紐に通した玉をつまんで、玉の円周より一回り大き目のスリット孔を通して突き出すだけで良い。玉をつまんでスリット孔に持っていくので、持ちやすく、通しやすい。通した後、外側で玉を中心にして、ループの状の紐を輪にして左右に開き一結びするだけで良い。結んだループ状の紐を蝶のように左右に開くと、スリット孔よりはるかに大きくなり、抜けにくい。解く時は玉を引っ張れば結び紐が簡単に解かれるので布団カバーの交換が楽になる。
【０００９】
カバーの裾は、掛け布団のずり落ちを防ぐ為に、敷き布団やマットへの巻き込み分だけ延長しているので、掛け布団がずり落ちない。布団カバーの片側縁部には、ファスナーを開口部側から引き上げると開くように、上下逆にして装着し、そのファスナーを上まで開けると、カバーの裾の開口部と繋がり、Ｌ字状にひらくので、開口部が大きくなり、布団の出し入れがしやすく、布団とカバーの交換が簡単になる。しかも掛け布団に、カバーとのずれ防止の装置を設けている為、掛け布団とカバーが外れない。
【図面の簡単な説明】
【００１０】
【図１】掛け布団の四隅と周縁部に玉を通したループを装着した平面図。
【図２】掛け布団の紐と同位置にスリット孔を設けたカバーの平面図。
【図３】ループに通した玉をつまんで、カバーのスリット孔に通した部分平面図。
【図４】A  ループの玉を中心に左右にひろげた斜視図。          B  ループを一結びした部分図。
【図５】ループの玉を中心に一結びした部分平面図。
【図６】カバーの片側縁部にファスナーを上下逆にして装着し、裾の開口部とＬ字状に繋げ、開口部をひろく設けたカバーの平面図。
【図７】シーツ式カバーに応用した平面図。
【図８】ループに係止部材を装着した斜視図。        A  扇面状挟み具の斜視図。        B  扇面状挟み具で掛け布団を挟んだ部分断面図。        C  扇面状挟み具の部分斜視図。
【発明を実施するための形態】
【００１１】
掛け布団１の四隅と掛け布団の周縁部に、図１のように、一結びできるループ状の紐２を、玉３の通孔部４を通して装着し、そのループを装着した掛け布団の紐と同位置に、図２のように、カバー５にスリット孔６を設ける。図３のように、ループ状の紐２に通した玉３をつまんで、玉３の円周より一回り大き目の掛け布団カバー５のスリット孔６を通して外に突き出す。
【００１２】
図４のＡのように、ループ状の紐２は玉３を中心にして、輪を左右にひろげ、図４のＢのように一結びする。結び目はループ状の紐２を蝶のようにして左右に開く。図５のように結ぶのは外側でする。カバー５を外す時も、外側で結ばれたループ状の紐２の玉３を引っ張るだけで簡単に解く事ができる。
【００１３】
布団の四隅や周縁部に、ループ状の紐２を玉３の通孔部４を通して装着し、布団のループ状の紐２と同位置に設けたカバーのスリット孔６より突き出して、カバーの外側で玉３を中心にしてループ状の紐２を一結びする。スリット孔６は玉の円周より一回り大き目にして、結び目がスリット孔６より抜けないようにする。解く時は玉３を引っ張れば結び紐が簡単に解かれる。カバーの内側でしてきた事を、外側で行う事により、取替え取り外しの交換が格段に簡単になり、労力を半減することが出来る。
【００１４】
掛け布団１がはずれないように、袋状カバー８の裾を敷き布団に巻き込む分だけ延長し、カバーの少なくとも片側縁部にファスナー７を開口部９から引き上げるように上下を逆にして装着し、裾の開口部９とＬ字状に繋げて大きくひらくようにする。開口部をひろくするようにファスナーを設けたので掛け布団の出し入れが楽になり、手間と労力が短縮される手段を設けた。
【００１５】
図６のように、袋状掛け布団カバー８の片側縁部に、ファスナー７を開口部９側から引き上げると開くように上下逆にして装着し（片側縁部のファスナーの端部の装着位置は、適宜設定できる）、片側縁部に設けたファスナー７を上まで開けると、カバーの裾の開口部９と繋がり、Ｌ字状にひらくので、開口部９が大きくなり、掛け布団１の出し入れがしやすく、掛け布団１と袋状カバー８の取り替えの交換が簡単に出来る。掛け布団の袋状カバー８の側縁部のファスナー７の装着は、両側縁部に設けても良く、その場合開口部はコの字状に開き、さらに大きくなる。裾は掛け布団のずり落ちを防ぐ為に、敷き布団やマットへの袋状の巻き込み分１０を長めに延長して巻き込み、掛け布団がずり落ちを防ぐ。
【００１６】
薄掛け布団又は毛布１４等の四隅、及びカバーの両端部４隅に当たる位置や他の周縁部に装着したループ状の紐２に通した玉３をつまんで、図７の衿カバー１１、裾カバー１２付きのシーツ式カバーの折山の両端部、及びカバーの四隅、他の周縁部に、薄掛け布団や毛布等１４のループ状の紐と同位置に設けたスリット孔６又は、ボタンホール孔１８から通して突き出し、外側で一結びする掛け布団のずり落ちを防ぐ為には、裾カバー１２より巻き込み分１３を延長した布を、敷き布団やマットに巻き込むようにする。カバーの両端縁部には、やや幅広のゴム１９を挿入しておくとカバーの収まりが良い。
【００１７】
玉付きループ状の紐２の装着は、掛け布団１に縫い付けるのが望ましく、図８のように、独立して、ループ状の紐２の装着部分に、金属や硬質の樹脂等で係止部材を設け、掛け布団１の四隅に挟んで装着することも可能である。      
【００１８】
上記の係止部材は、扇面状挟み具１５にして布団の四隅に挟むようにする。内側には、樹脂やごむなどで凹凸面１６を設けると滑りにくい。大小の締め輪１７で、扇面状挟み具１５を締め上げ、掛け布団１から外れないようにする。
【００１９】
スリット孔６は、カバー５の接ぎ目の部分を利用してスリット孔６を設ける事が望ましく、縫い代の部分や、一重の布の部分にかかる場合、接着芯などで裏打ちをして、その部分にボタンホール孔１８を設けると、カバー布にかかる負担が少ない。  
【００２０】
カバーの用布は、白に限らず、柄物も良く、冬は温かい素材でアクリルやレ−ヨンの混紡や毛布等、夏は涼しい素材が良く、何れも皺になりにくく、洗濯に耐えうる清潔感のあるものが望ましい。  
【符号の説明】
【００２１】
１    掛け布団
２    ループ状の紐
３    玉
４    通孔部
５    カバー
６    スリット孔
７    ファスナー
８    袋状カバー
９    開口部
１０  袋状裾巻き込み分
１１  衿カバー
１２  裾カバー
１３  巻き込み分
１４  薄掛け布団又は毛布
１５  扇面状挟み具
１６  凹凸面
１７  締め輪
１８  ボタンホール孔
１９  ゴム